(57)【要約】【課題】グローバル・ポジショニング・システム（Global Positioning System、ＧＰＳ）を使用せず、無線伝送の方式で各ステーションのデータバックを伝送や記録する海上レスキュー位置の記録システムを提供する。【解決手段】グローバル・ポジショニング・システム（ＧＰＳ）を使用せず、多重ジャンプモジュール式無線伝送を使用し、デジタル通信ネットワークを通じて少なくとも一つの固定ステーションと複数の可動ステーションとの間に信号を伝送すると共に、信号を含むパケットを記録し、該パケットは、各可動ステーションのデータベースに暫く記録され、該可動ステーションの信号伝送範囲に他の可動ステーションが存在すれば、パケットの伝送や記録を行い、該システムは少なくとも１つの固定ステーションと複数の可動ステーションを有することを特徴とする。【選択図】図１
2010510478.tif 000002
【特許請求の範囲】
【請求項１】
グローバル・ポジショニング・システム（ＧＰＳ）を使用せず、多重ジャンプモジュール式無線伝送を使用し、デジタル通信ネットワークを通じて少なくとも一つの固定ステーションと複数の可動ステーションとの間に信号を伝送すると共に、信号を含むパケットを記録し、該パケットは、各可動ステーションのデータベースに暫く記録され、該可動ステーションの信号伝送範囲に他の可動ステーションが存在すれば、パケットの伝送や記録を行い、該システムは少なくとも１つの固定ステーションと複数の可動ステーションを有し、該固定ステーションは目的ステーション又は浮き部材であり、該パケット伝送方式は、下記のステップを有し、
第１可動ステーションからパケットを第２可動ステーションと第３可動ステーションに発送し、
該第２可動ステーションと第３可動ステーションが該第１可動ステーションからのパケットを接収しながら記録し、
該第２可動ステーションと第３可動ステーションがフィードバック信号を該第１可動ステーションに発送し、
第２可動ステーションからパケットを第３可動ステーションに発送し、
該第３可動ステーション該第２可動ステーションからパケットのパケットを接収しながら記録し、
該第３可動ステーションがフィードバック信号を該第２可動ステーションに発送し、
該パケット伝送方式を繰り返して続けることにより、最後に該パケットが該固定ステーションに接収しながら記録されることを特徴とする海上レスキュー位置の記録システム。
【請求項２】
前記固定ステーションと可動ステーションは、夫々識別コードを有することを特徴とする請求項１に記載の海上レスキュー位置の記録システム。
【請求項３】
前記固定ステーションは、港に設けられることを特徴とする請求項１に記載の海上レスキュー位置の記録システム。
【請求項４】
前記可動ステーションは、船舶に設けられることを特徴とする請求項１に記載の海上レスキュー位置の記録システム。
【請求項５】
前記目的ステーションは、接収したパケットの整理作業を行うことを特徴とする請求項１に記載の海上レスキュー位置の記録システム。
【請求項６】
前記パケットは、該可動ステーションの識別コードや、該パケットの送受時間と位置情報が含まれることを特徴とする請求項１に記載の海上レスキュー位置の記録システム。
【請求項７】
前記無線伝送方式は、ＩＥＥＥ  ８０２．１１規格、無線電、赤外線又はグローバルマイクロ波方式であることを特徴とする請求項１に記載の海上レスキュー位置の記録システム。
【請求項８】
前記データベースはハードディスク又はネットワークハードディスクであることを特徴とする請求項１に記載の海上レスキュー位置の記録システム。
【請求項９】
前記識別コードは、ネットワーク位置であることを特徴とする請求項２に記載の海上レスキュー位置の記録システム。
【請求項１０】
前記位置情報は、経度と緯度より表示されることを特徴とする請求項６に記載の海上レスキュー位置の記録システム。
【請求項１１】
前記パケットは、多字元コードで表現されることを特徴とする請求項６に記載の海上レスキュー位置の記録システム。
【請求項１２】
前記パケットは、２進制、８進制又は１６進制方式で情報を記録することを特徴とする請求項６に記載の海上レスキュー位置の記録システム。
【請求項１３】
前記可動ステーションを船舶に設置する場合、該パケットは、船舶に関する各情報を含むことを特徴とする請求項６に記載の海上レスキュー位置の記録システム。
【請求項１４】
前記船舶に関する各情報は、航行方向、航行速度、航行記録、予想到着時間、航行路線の偏移距離を含むことを特徴とする請求項１３に記載の海上レスキュー位置の記録システム。
【請求項１５】
グローバル・ポジショニング・システム（ＧＰＳ）を使用せず、多重ジャンプモジュール式無線伝送を使用し、デジタル通信ネットワークを通じて少なくとも一つの固定ステーションと複数の可動ステーションとの間に信号を伝送すると共に、信号を含むパケットを記録し、該パケットは、各可動ステーションのデータベースに暫く記録され、該可動ステーションの信号伝送範囲に他の可動ステーションが存在すれば、パケットの伝送や記録を行い、該固定ステーションと可動ステーションとの間にデジタル通信ネットワークによりパケットを伝送し、該パケットは位置記録するデータであり、該パケット伝送方式は、下記のステップを有し、
第１工作ステーションからパケットを第２工作ステーションと第３可動ステーションに発送しながら、第１工作ステーション、第２工作ステーション及び第３工作ステーションに関するパケットを記録し、
該第２工作ステーションからパケットを第１工作ステーションと第３工作ステーション発送しながら、第１工作ステーション、第２工作ステーション及び第３工作ステーションに関するパケットを記録し、
該第３工作ステーションからパケットを第１工作ステーションと第２可動ステーションに発送しながら、第１工作ステーション、第２工作ステーション及び第３工作ステーションに関するパケットを記録し、
該パケット伝送方式を繰り返して続けることにより、新しいパケットを接収されることを特徴とする海上レスキュー位置の記録システム。
【発明の詳細な説明】
【技術分野】
【０００１】
本発明は、特にグローバル・ポジショニング・システム（Global Positioning System、ＧＰＳ）を使用せず、無線伝送の方式で各ステーションのデータバックを伝送や記録する海上レスキュー位置の記録システムに関するものである。
【背景技術】
【０００２】
地球で約７０％の面積は海洋であり、故に人類の文明や科技を如何に発展しても、人類の民生や運送が海洋との依頼関係が非常に深い。そして、海上の交通安全、海上レスキュー、漁業資源の管理、非生物資源の開発、海洋環境の維持、海賊の打撃及びテロリストの防止などの問題が各国における海洋政策の重点となる。
【０００３】
従来、海上レスキューの問題について、船舶の移動位置又は船の状態資料をゲットしようとする場合、航海日記しかないが、事故を発生すると、これらの航海日記が殆ど破損又は紛失するため、確認することができない、又、航海日記は、事故発生の時間や場所に対して、第１時間でレスキュー隊に提供することができない。
【０００４】
現在の国際海上レスキューについて、用いられる主なシステムは、グローバル緊急レスキューシステム、船舶セキュリティーアラームシステム又は自動識別システムであるが、これらのシステムは全てグローバル・ポジショニング・システム（ＧＰＳ）で資料を伝送し、船舶を事故に遭ったとき、レスキュー信号を発送することによりレスキュー隊が救援作業を進めることができる。しかし、グローバル・ポジショニング・システムのコストが高く、且つ頻繁に新しい信号を発送することができないため、アクセス端に接収する信号と実際の船舶信号との間に時間差を存在し、故に、救援作業に悪影響を与える。又、自動識別システムでは、伝送された信号がエラーをよく発生し、例えば船舶の目的地、入水量、船舶の速度や航行方向などのエラーをよく発生する。
【０００５】
又、アメリカ特許第６，７７８，８０９  Ｂ２号「遥かな所における可動ステーションに使用するために設置する可動ネットワーク」に、無線通信ネットワークによってデータを伝送や接収するシステムと方法が開示される。該システムは、無線通信ネットワークでジャンプ式無線伝送の方式により、少なくとも一個の可動ステーションを通じてパケットを伝送し、且つ該パケットの伝送が隣接の可動ステーションに該パケットを接収したまで続ける。
【特許文献１】米国特許第６，７７８，８０９Ｂ２号
【発明の概要】
【発明が解決しようとする課題】
【０００６】
しかしながら、国際の船舶航路におけるステーションとの距離がかなり長いため、前記特許案は、下記のような問題を有する可能性がある。
１、データ源と目的ステーションとの距離が長く、ジャンプ伝送の回数が多いので、通信効果を降下する恐れがある。
２、国際の船舶航路に設けられる全てのステーションとの間に、何時も連通状態を保持することができなく、通信成功の確率を低減する恐れがある。
【０００７】
そこで、出願されたのが本発明であって、グローバル・ポジショニング・システム（Global Positioning System、ＧＰＳ）を使用せず、無線伝送の方式で各ステーションのデータバックを伝送や記録する海上レスキュー位置の記録システムを提供することを目的としている。
【課題を解決するための手段】
【０００８】
本願の請求項１の発明は、グローバル・ポジショニング・システム（ＧＰＳ）を使用せず、多重ジャンプモジュール式無線伝送を使用し、デジタル通信ネットワークを通じて少なくとも一つの固定ステーションと複数の可動ステーションとの間に信号を伝送すると共に、信号を含むパケットを記録し、該パケットは、各可動ステーションのデータベースに暫く記録され、該可動ステーションの信号伝送範囲に他の可動ステーションが存在すれば、パケットの伝送や記録を行い、該システムは少なくとも１つの固定ステーションと複数の可動ステーションを有し、該固定ステーションは目的ステーション又は浮き部材であり、該パケット伝送方式は、下記のステップを有し、
第１可動ステーションからパケットを第２可動ステーションと第３可動ステーションに発送し、
該第２可動ステーションと第３可動ステーションが該第１可動ステーションからのパケットを接収しながら記録し、
該第２可動ステーションと第３可動ステーションがフィードバック信号を該第１可動ステーションに発送し、
第２可動ステーションからパケットを第３可動ステーション発送し、
該第３可動ステーション該第２可動ステーションからパケットのパケットを接収しながら記録し、
該第３可動ステーションがフィードバック信号を該第２可動ステーションに発送し、
該パケット伝送方式を繰り返して続けることにより、最後に該パケットが該固定ステーションに接収しながら記録されることを特徴とする海上レスキュー位置の記録システム、を提供する。
【０００９】
本願の請求項２の発明は、前記固定ステーションと可動ステーションは、夫々識別コードを有することを特徴とする請求項１に記載の海上レスキュー位置の記録システム、を提供する。
【００１０】
本願の請求項３の発明は、前記固定ステーションは、港に設けられることを特徴とする請求項１に記載の海上レスキュー位置の記録システム、を提供する。
【００１１】
本願の請求項４の発明は、前記可動ステーションは、船舶に設けられることを特徴とする請求項１に記載の海上レスキュー位置の記録システム、を提供する。
【００１２】
本願の請求項５の発明は、前記目的ステーションは、接収したパケットの整理作業を行うことを特徴とする請求項１に記載の海上レスキュー位置の記録システム、を提供する。
【００１３】
本願の請求項６の発明は、前記パケットは、該可動ステーションの識別コードや、該パケットの送受時間と位置情報が含まれることを特徴とする請求項１に記載の海上レスキュー位置の記録システム、を提供する。
【００１４】
本願の請求項７の発明は、前記無線伝送方式は、ＩＥＥＥ  ８０２．１１規格、無線電、赤外線又はグローバルマイクロ波方式であることを特徴とする請求項１に記載の海上レスキュー位置の記録システム、を提供する。
【００１５】
本願の請求項８の発明は、前記データベースはハードディスク又はネットワークハードディスクであることを特徴とする請求項１に記載の海上レスキュー位置の記録システム、を提供する。
【００１６】
本願の請求項９の発明は、前記識別コードは、ネットワーク位置であることを特徴とする請求項２に記載の海上レスキュー位置の記録システム、を提供する。
【００１７】
本願の請求項１０の発明は、前記位置情報は、経度と緯度より表示されることを特徴とする請求項６に記載の海上レスキュー位置の記録システム、を提供する。
【００１８】
本願の請求項１１の発明は、前記パケットは、多字元コードで表現されることを特徴とする請求項６に記載の海上レスキュー位置の記録システム、を提供する。
【００１９】
本願の請求項１２の発明は、前記パケットは、２進制、８進制又は１６進制など異なる進制方式で情報を記録することを特徴とする請求項６に記載の海上レスキュー位置の記録システム、を提供する。
【００２０】
本願の請求項１３の発明は、前記可動ステーションを船舶に設置する場合、該パケットは、船舶に関する各情報を含むことを特徴とする請求項６に記載の海上レスキュー位置の記録システム、提供する。
【００２１】
本願の請求項１４の発明は、前記船舶に関する各情報は、航行方向、航行速度、航行記録、予想到着時間、航行路線の偏移距離を含むことを特徴とする請求項１３に記載の海上レスキュー位置の記録システム、提供する。
【００２２】
本願の請求項１５の発明は、グローバル・ポジショニング・システム（ＧＰＳ）を使用せず、多重ジャンプモジュール式無線伝送を使用し、デジタル通信ネットワークを通じて少なくとも一つの固定ステーションと複数の可動ステーションとの間に信号を伝送すると共に、信号を含むパケットを記録し、該パケットは、各可動ステーションのデータベースに暫く記録され、該可動ステーションの信号伝送範囲に他の可動ステーションが存在すれば、パケットの伝送や記録を行い、該固定ステーションと可動ステーションとの間にデジタル通信ネットワークによりパケットを伝送し、該パケットは位置記録するデータであり、該パケット伝送方式は、下記のステップを有し、
第１工作ステーションからパケットを第２工作ステーションと第３可動ステーションに発送しながら、第１工作ステーション、第２工作ステーション及び第３工作ステーションに関するパケットを記録し、
該第２工作ステーションからパケットを第１工作ステーションと第３工作ステーション発送しながら、第１工作ステーション、第２工作ステーション及び第３工作ステーションに関するパケットを記録し、
該第３工作ステーションからパケットを第１工作ステーションと第２可動ステーションに発送しながら、第１工作ステーション、第２工作ステーション及び第３工作ステーションに関するパケットを記録し、
該パケット伝送方式を繰り返して続けることにより、新しいパケットを接収されることを特徴とする海上レスキュー位置の記録システム、を提供する。
【発明の効果】
【００２３】
本発明は、前記の課題を解決するものであり、多重ジャンプモジュール式無線伝送により通信効果の低下問題を解決し、送受ステーションの信号がＩＥＥＥ  ８０２.１１など無線伝送の方式で、ＧＰＳを用いる必要が無く、コストを大量に節約することができ、故に、海上事故を発生する際、直ちに正確の救援作業を開始することができる。
【図面の簡単な説明】
【００２４】
【図１】本発明に係る海上レスキュー位置の記録システムについて、データ伝送方式の参考図である。
【図２】本発明に係る海上レスキュー位置の記録システムのデータバックの内容を示す参考図である。
【図３】本発明に係わる海上レスキュー位置の記録システムについて、データバックの伝送や記録状態を示す参考図である。
【図４】本発明に係わる海上レスキュー位置の記録システムについて、ステーションの構造を示す参考図である。
【図５】本発明に係わる海上レスキュー位置の記録システムの使用状態を示す参考図である。
【発明を実施するための形態】
【００２５】
以下、添付図面を参照して本発明の好適な実施の形態を詳細に説明する。
【００２６】
図１は本発明に係る海上レスキュー位置の記録システムについて、データ伝送方式の参考図であり、図２は本発明に係る海上レスキュー位置の記録システムのデータバックの内容を示す参考図であり、図３は本発明に係わる海上レスキュー位置の記録システムについて、データバックの伝送や記録状態を示す参考図であり、図４は本発明に係わる海上レスキュー位置の記録システムについて、ステーションの構造を示す参考図であり、図５は本発明に係わる海上レスキュー位置の記録システムの使用状態を示す参考図である。
【００２７】
図１は本発明に係る海上レスキュー位置の記録システムについて、データ伝送方式の参考図である。本発明に係わる海上レスキュー位置の記録システムの特徴は、グローバル・ポジショニング・システム（ＧＰＳ）を使用せず、多重ジャンプモジュール式無線伝送を使用し、デジタル通信ネットワークを通じて少なくとも一つの固定ステーションと複数の可動ステーションとの間に信号を伝送すると共に、信号を含むパケットを記録することである。該パケットは、各可動ステーションのデータベースに暫く記録される。該可動ステーションの信号伝送範囲に他の可動ステーションが存在すれば、パケットの伝送や記録を行う。該システムは少なくとも１つの固定ステーションと複数の可動ステーションを有し、該固定ステーションは例えば目的ステーションである。
【００２８】
前記システムの伝送方式は、下記のステップを有する。
第１可動ステーション（１０）の信号伝送範囲内に第２可動ステーション（２０）が存在すれば、該第１可動ステーション（１０）からパケット（１１）を第２可動ステーション（２０）に発送し、又、該第１可動ステーション（１０）の信号伝送範囲内に更に第３可動ステーション（３０）が存在すれば、該第１可動ステーション（１０）からパケット（１２）を第３可動ステーション（３０）にも発送し、該第２可動ステーション（２０）と第３可動ステーション（３０）が該パケット（１１、１２）を接収して記録した後、夫々フィードバック信号（１３、１４）を該第１可動ステーション（１０）に発送する。
【００２９】
そして、該第２可動ステーション（２０）がその信号伝送範囲の内にパケット（２１）を第３可動ステーション（３０）に発送する。同じように、若し該信号伝送範囲の内に特定可動ステーション（４０）が存在すれば、該第２可動ステーション（２０）がパケット（２２）を該特定可動ステーション（４０）に発送する。そして、該第３可動ステーション（３０）と特定可動ステーション（４０）が該パケット（２１、２２）を接収しながら記録する。該第３可動ステーション（３０）と特定可動ステーション（４０）が該パケット（２１、２２）を接収しながら記録した後、夫々フィードバック信号（２３、２４）を該第２可動ステーション（２０）に発送する。
【００３０】
前記同じように、第３可動ステーション（３０）の信号伝送範囲内に特定可動ステーション（４０）が存在すれば、該第３可動ステーション（３０）からパケット（３１）を特定可動ステーション（４０）に発送し、該特定可動ステーション（４０）が該パケット（３１）を接収しながら記録した後、フィードバック信号（３２）を該第３可動ステーション（３０）に発送する。
【００３１】
前記伝送方式を進め続けることにより、ネットワークを形成し、最後に目的地の固定ステーションがパケットを接収しながら記録することができ、且つ各可動ステーションにデータバックの読取ハードディスクがあるため、その１つの可動ステーションが故障する場合、他の可動ステーションに接収したパケットにより海上救援作業を開始することができる。
【００３２】
図２に示すように、各可動ステーションから発送しだしたパケットは多字元コードで表現することができ、例えば該パケットの内容が可動ステーションの識別コード、発送時間と位置を含むことができ、若し２００５年１２月３０日の２２時３５分に、ネットワーク位置が１９７.１３.２４.０５の可動ステーションが東経１３０度、北緯３０度の場所でパケットを発送する場合、２４字元のコードは７Ｄ５Ｃ１Ｅ１６２３Ｃ５０Ｄ１８０５８２１Ｅ０１であり、前の３位文字は年であり、第４位文字は月であり、第５と６位文字は日であり、第７乃至１０位文字は時間であり、該第７と８位文字は時であり、第９と１０位文字は分であり、第１１乃至１８位文字は該可動ステーションの識別コードであり、第１９乃至２２位文字は東経と北緯の位置であり、最後２位文字は該パケットの確認コードである。該確認コードは該パケットの伝送状態を表現し、例えば００は伝送失敗を表現し、０１は伝送成功を表現し、０２は再び伝送を表現する。又、該パケットは例えば２進制、８進制又は１６進制など異なる進制方式で情報を記録することができる。
【００３３】
図３に示すように、本発明の伝送や記録方式は、先ず第１可動ステーション（１０）がその内部における応用プロセス（１）で該可動ステーションに関する情報を伝送可能なパケットに転換し、そして、該パケットをデータベース（２）に暫く記録すると共に、伝送ソフト（３）を通じて通信設備（４）に伝送し、該通信設備（４）によって該パケットを第１可動ステーション（１０）から第２可動ステーション（２０）に伝送する。該通信設備（４）は、無線伝送によってパケットを伝送する。該第２可動ステーション（２０）の通信設備（４）は該第１可動ステーション（１０）からのパケットを接収した後、該パケットをそのデータベース（２）に暫く記録し、そして、伝送ソフト（３）によって接収したパケットと第２可動ステーション（２０）の情報を新しいパケットに合流し、該新しいパケットを通信設備（４）によって第３可動ステーション（３０）に発送する。第３可動ステーション（３０）が該パケットを接収した後、前記第２可動ステーション（２０）と同じようにパケットを整理し、そして第１乃至第３可動ステーションの情報を含むパケットが特定可動ステーション（４０）発送される。前記のように伝送の繰り返した後、最後の目的ステーション（５０）は通信設備（４）で全ての情報を含むパケットが接収され、該パケットをアクセスデータベース（５）に記録すると共に、応用プロセス（６）で該パケットを読み取り可能なデータに転換する。
【００３４】
前記固定ステーションは、浮き部材又は港に設置されることができ、該可動ステーションは、船舶に設置されることができ、該可動ステーションを船舶に設置する場合、該パケットは、船舶に関する各情報を含むことができ、例えば航行方向、航行速度、航行記録、予想到着時間、航行路線の偏移距離などを含むことができる。図４に示すように、該可動ステーション（例えば第１可動ステーション（１０））は、サーバー（８）、通信設備（４）、アンテナ（７）及びパワーサプライ（１６）を備え、該サーバー（８）は、操作システム（１５）と、伝送ソフト（３）と、データベース（２）を有する。その作業方式は、該サーバー（８）の操作システム（１５）が伝送部材（９）を通じて該第１可動ステーション（１０）に関する情報を伝送ソフト（３）に伝送することによりパケットを作成し、該操作システム（１５）が該パケットを該データベース（２）に暫く記録し、該パケットが該第１可動ステーション（１０）の通信設備（４）とアンテナ（７）によって次の可動ステーションには相する。又、該第１可動ステーション（１０）はそのアンテナ（７）と通信設備（４）によって他の可動ステーションからのパケットを接収することができ、接収したパケットを該サーバー（８）のデータベース（２）に暫く記録することができ、そして次の伝送作業で他の可動ステーションに伝送することができる。
【００３５】
図５に示すように、第１可動ステーション（１０）から発送したパケットが多重ジャンプモジュール式無線伝送により信号伝送範囲内における他の可動ステーションに伝送し、最後に該パケットが目的ステーションに伝送する。該第１可動ステーションが移動すると共に、その位置が含まれるパケットを他の可動ステーションに伝送するため、海上事故を発生する時、このパケットに含まれる情報により海上サーチや救援作業を行うことができる。
【産業上の利用可能性】
【００３６】
本発明は前記の構成を有するので、多重ジャンプモジュール式無線伝送により通信効果の低下問題を解決し、送受ステーションの信号がＩＥＥＥ  ８０２.１１など無線伝送の方式で、ＧＰＳを用いる必要が無く、コストを大量に節約することができ、故に、海上事故を発生する際、直ちに正確の救援作業を開始することができる。
【符号の説明】
【００３７】
１          応用プロセス
２          データベース
３          伝送ソフト
４          通信設備
５          アクセスデータベース
６          応用プロセス
７          アンテナ
８          サーバー
９          伝送部材
１０        第１可動ステーション
１１、１２、２１、２２、３１        パケット
１３、１４、２３、２４、３２        フィードバック信号
１５        操作システム
１６        パワーサプライ
２０        第２可動ステーション
３０        第３可動ステーション
４０        特定の可動ステーション
５０        目的ステーション
【図１】
2010510478.tif 000003
【図２】
2010510478.tif 000004
【図３】
2010510478.tif 000005
【図４】
2010510478.tif 000006
【図５】
2010510478.tif 000007
【国際調査報告】
2010510478.tif 000008
2010510478.tif 000009
2010510478.tif 000010
2010510478.tif 000011